(57)【特許請求の範囲】
【請求項１】
液体保持部内に収容された液体を、基端側において、基端側に付勢されつつ往復操作可能に設けた第１の操作部を先端側に向けて押動操作する毎に、先端側に設けたノズルの吐出口から一定量ずつ複数回に分けて吐出できる第１のピペットと、基端側に設けた第２の操作部を基端側に移動させることにより先端側に装着されるチップ内に吸引した液体を、上記第２の操作部を先端側に押動操作することにより、上記チップの先端から一度に吐出できる第２のピペットと、を備えることを特徴とする、多連ピペット。
【請求項２】
先端側に移動することにより上記液体保持部内の液体を上記ノズルに向けて押し出すピストンロッドに設けたラチェット溝と、上記第１の操作部とともに移動し、かつ一方向に付勢される爪と、を含むラチェット機構により、上記第１の操作部を先端側に向けて押動操作する毎に、上記液体保持部内に収容された液体を上記ノズルの吐出口から一定量ずつ吐出できる、請求項１に記載の多連ピペット。
【請求項３】
上記液体保持部は、着脱自在とされている、請求項１または２に記載の多連ピペット。
【請求項４】
上記第１のピペットの上記ノズルには、上記吐出口を覆うようにしてキャップが着脱自在に取り付けられている、請求項１ないし３のいずれかに記載の多連ピペット。
【請求項５】
特定成分の濃度が既知の参照液と上記特定成分の濃度が未知の試料液との間を短絡した場合に生じる電位差から上記試料液中の特定成分の濃度を測定する場合において、上記第１のピペットにより上記参照液を供給し、上記第２のピペットにより上記試料液を供給する、請求項１ないし４のいずれかに記載の多連ピペット。
【発明の詳細な説明】
【０００１】
【発明の属する技術分野】
本願発明は、各々が所定量の液体を吐出可能な複数のピペットを有する多連ピペットに関する。
【０００２】
【従来の技術】
試料中における特定成分の濃度は、たとえば特定成分の濃度が既知の参照液と試料液との間を短絡した場合に生じる電位差から測定するポテンシオメトリックな方法がある。この方法は、たとえば参照液または試料液を点着可能な受液部と、分析装置における電位差測定用のプローブが接触する端子とがそれぞれ設けられたプレートを、参照液および試料液を受液部に点着した状態で当該分析装置にセットして参照液と試料液との間の電位差を測定し、その電位差から特定成分の濃度を演算することにより行われる。
【０００３】
このような分析装置による濃度測定では、プレートをセットする前に、受液部に参照液や試料液を点着する必要があるが、この点着作業は、通常は二連ピペットを用いて行われる。通常の二連ピペットは、参照液や試料液を吸引・吐出可能な２つのピペットを、これらの液体吐出口の距離を、プレートにおいて対となる２つの受液口の距離に対応させた状態で保持したものである。そして、実際の吸引・吐出作業では、液体吐出口を覆うようにして、上下が開放した先細テーパ状のチップを各々のピペットの先端部に装着した状態で行われる。
【０００４】
この場合、試料液における特定成分の濃度が未知であり、しかも測定すべき各試料液の特定成分の濃度が同一であるとは限らず、また先に測定した試料液が次に測定する試料液に影響を与えないように、ピペットにおいて試料液を吸引・吐出する毎に、チップを取り替える必要がある。
【０００５】
一方、参照液における特定成分の濃度は各測定毎に同一であるため、ピペットに装着されたチップを取り替えずに繰り返し使用することも考えられる。しかしながら、先に参照液を吸引・吐出してから、次に参照液を吸引・吐出させるまでの間のインターバルが長くなれば、チップの内面に付着して残存する先に使用した参照液は、水分が蒸発して濃縮され、これが次に吸引した参照液に混入して参照液の濃度が変わってしまう虞がある。また、連続して参照液の吸引・吐出を繰り返す場合であっても、先に吸引した参照液がチップ内に残存し、これが次に吸引した参照液とともに吐出されるような事態も起こり、吐出量が不安定となってしまう虞もある。このため、ピペットから吐出された参照液の吐出量やその濃度の均一化を図る観点からは、参照液を吸引・吐出する度にチップを取り替える必要が生じる。
【０００６】
【発明が解決しようとする課題】
したがって、従来の二連ピペットでは、参照液を吸引・吐出する度にチップの取り替えが必要となって、各プレート毎に２つのチップを必要となり、コスト的に不利となる。そればりか、処理すべき廃棄物（チップ）の量も自ずと多くなる。さらに、参照液は、それぞれの測定において同一のものを使用するにもかかわらず、各測定毎に参照液を吸引する作業が必要となり、多数の試料液の測定が必要な事態にあっては、その作業が煩わしいものとなる。
【０００７】
本願発明は、上記した事情のもとで考え出されたものであって、チップ使用量の低減によるコストおよび廃棄物量の低減を図ることができ、しかも参照液などの液体の吸引作業の煩わしさを低減することができる多連ピペットを提供することをその課題とする。
【０００８】
【発明の開示】
このような課題を解決するため、本願発明では次の技術的手段を講じている。すなわち、本願発明により提供される多連ピペットは、液体保持部内に収容された液体を、液体保持部内に収容された液体を、基端側において、基端側に付勢されつつ往復操作可能に設けた第１の操作部を先端側に向けて押動操作する毎に、先端側に設けたノズルの吐出口から一定量ずつ複数回に分けて吐出できる第１のピペットと、基端側に設けた第２の操作部を基端側に移動させることにより先端側に装着されるチップ内に吸引した液体を、上記第２の操作部を先端側に押動操作することにより、上記チップの先端から一度に吐出できる第２のピペットと、を備えることを特徴としている。好ましくは、先端側に移動することにより上記液体保持部内の液体を上記ノズルに向けて押し出すピストンロッドに設けたラチェット溝と、上記第１の操作部とともに移動し、かつ一方向に付勢される爪と、を含むラチェット機構により、上記第１の操作部を先端側に向けて押動操作する毎に、上記液体保持部内に収容された液体を上記ノズルの吐出口から一定量ずつ吐出できる。
【０００９】
上記構成では、第１のピペットにおいて、液体を吐出する度に次に吐出すべき液体を改めて吸引することなく、液体保持部内の液体を次々と吐出させることができる。このため、同一の液体を繰り返し吐出させる必要がある場合にあっては、液体を吐出する度に繰り返し液体の吸引するといった作業が不要となり、その煩わしさが回避される。
【００１１】
また、上記構成では、第１のピペットからはノズルを介して液体が吐出されるため、必ずしもチップを装着して使用する必要はない。このため、本発明では、チップの使用量を低減することが可能となり、これにともないコスト上昇を回避することができ、また廃棄物（チップ）の量の低減を図ることができる。もちろん、第２のピペットのみにチップを装着すればよいため、チップの装着作業の煩わしさも低減される。
【００１２】
なお、液体保持部内への液体の保持は、第１のピペットの外部から液体を吸引することにより行ってもよいし、予め液体が収容された液体保持部を第１のピペットに組み込むことによって行ってもよい。後者の場合、液体保持部を着脱自在な構成とする必要があり、そうすれば、液体が充填された液体保持部と、液体が所定量以下に減った液体保持部とを取り替えることができるようになり、第１のピペットにより液体を吸引する作業が全く不要となる。また、液体保持部が着脱自在とされていれば、必要に応じて液体保持部内を洗浄することができ、液体保持部内への塩の付着や細菌の繁殖を抑制することができるようになる。
【００１３】
好ましい実施の形態においては、上記第１のピペットの上記ノズルには、上記吐出口を覆うようにしてキャップが着脱自在に取り付けられている。
【００１４】
この構成では、液体保持部内に保持された液体の蒸発を抑制でき、たとえば水分の蒸発による特定成分の濃縮などの弊害を除去し、吐出される液体の濃度を長期にわたって安定化させることができるようになる。
【００１５】
好ましい実施の形態においては、特定成分の濃度が既知の参照液と上記特定成分の濃度が未知の試料液との間を短絡した場合に生じる電位差から上記試料液中の特定成分の濃度を測定する場合において、上記第１のピペットにより上記参照液を供給し、上記第２のピペットにより上記試料液を供給する。
【００１６】
上述の通り、第１のピペットから吐出される液体は、その量および濃度の均一化が図られているため、濃度測定に際して安定した量および濃度で参照液を供給でき、長期にわたって測定精度の維持向上を図ることができるようになる。
【００１７】
本願発明のその他の特徴および利点は、添付図面を参照して以下に行う詳細な説明によって、より明らかとなろう。
【００１８】
【発明の実施の形態】
以下、本願発明の好ましい実施の形態を図面を参照して具体的に説明する。図１は、本願発明に係る多連ピペットの一例を表す縦断面図、図２は第１のピペットの要部拡大図である。
【００１９】
図１に示したように、上記多連ピペットＸは、第１のピペット１と第２のピペット２とがホルダ３により横並びで保持された構成とされている。
【００２０】
第１のピペット１は、ハウジング１０内において、ピストンロッド１１、およびこれの上端側を覆うシリンダ１２が収容された構成とされている。
【００２１】
ピストンロッド１１は、ロッド部１３と栓部１４とを有しており、ロッド部１３の上端部には、外方側に突出するピン１３ｂを介して、操作ノブ１３ｃが一体化されている。ロッド部１３の中間部には、図２に良く表れているように複数のラチェット溝１３ａが、後述する爪１２ｄを上方側から係止できるようにして連続して設けられている。
【００２２】
シリンダ１２には、図１に示したように上端部の径が他の部分よりも大きくされて係止部１２ａが設けられており、その側壁１２ｂにピン１３ｂの上下動可能を許容するスリット１２ｃが設けられている。側壁１２ｂにおけるスリット１２ｃとは反対側の部分の下端には、爪１２ｄが回動自在に一体化されており、この爪１２ｄは、図２に良く表れているように全体としてへの字状とされている。そして、先端部の形状が、ラチェット溝１３ａの形状に対応したものとされている。そして、図面上には明確に表れていないが、爪１２ｄは、ねじりコイルばねなどによりピストンロッド１１側に付勢されている。したがって、爪１２ｄが下方に移動する際には、爪１２ｄがラチェット溝１３ａに係止されて爪１２ｄの下方移動とともにピストンロッド１１が一体的に下方に移動し、爪１２ｄが上方に移動する際には爪１２ｄがラチェット溝１３ａには係止されず、爪１２ｄはラチェット溝１３ａとは独立して移動する。
【００２３】
ハウジング１０は、図１に示したように上下に開口１０ａ，１０ｂを有しており、側壁１０ｃにはピン１３ｂの上下動を許容する窓部１０ｄが設けられている。上開口１０ａには、プッシュロッド１５のロッド部１５ａが挿通され、栓部１５ｂがシリンダ１２の上面と密着してハウジング１０内に収容されている。ロッド部１５ａの上端部には操作部１５ｃが取り付けられている。ハウジング１０内には、窓部１０ｄのやや上方に係止部１０ｅが設けられ、この係止部１０ｅとシリンダ１２の係止部１２ａとの間には、シリンダ１２の上端部を外套するようにしてコイルバネ１６が配置されている。これにより、シリンダ１２が上方側に付勢されて、シリンダ１２の上面とその栓部１５ｂが密着するプッシュロッド１５も上方側に付勢されている。
【００２４】
ハウジング１０の下開口１０ｂには、液体保持部１７ａに対してノズル１７ｂが螺合されたシリンジ１７が螺合されている。このため、ハウジング１０からは、シリンジ１７（液体保持部１７ａ）が取り外し可能とされ、また液体保持部１７ａからはノズル１７ｂが取り外し可能とされている。そして、ノズル１７ｂの中央部および基端部側が補強部１７ｃにより保護されている。この補強部１７ｃには、ノズル１７ｂの先端部を覆うようにしてキャップ１９が着脱自在に装着されている。この状態では、ノズル１７ｃの先端がキャップ１９の内底部に密着した状態とするのが好ましい。
【００２５】
また、ハウジング１０内には、図２に良く表れているように、その下方部位においてラチェット溝１３ａを覆うようにしてスライド片１８が突出形成されている。このスライド片１８は、自然状態において爪１２ｄが待機する部位であり、爪１２ｄがスライド片１８の幅に対応する距離だけ下方始動する間は、爪１２ｄスライド片１８上を移動し、それ以上に爪１２ｄが下動した場合には爪１２ｄがスライド片１８から落ちてラチェット溝１３ａに係止し、ピストンロッド１１を下動させる。そして、ピストンロッド１１は付勢されておらず、また爪１２ｄが上動する場合には爪１２ｄがラチェット溝１３ａとが噛み合わないから、爪１２ｄが上動する場合には、爪１２ｄがピストンロッド１１に対して独立して上動する。
【００２６】
以上の構成とされた第１のピペット１では、液体保持部１７ａ内への液体の保持は次のようにして行われる。まず、キャップ１９を取り外した状態で、操作ノブ１３ｃを下動させることによりピストンロッド１１を下げて液体保持部１７ａ内の気体を排出する。そして、操作ノブ１３ｃが下動した状態のままで、ノズル１７ｂの先端部を吸引すべき液内に差し込み、操作ノブ１３ｃに作用する力を開放する。そうすると、操作ノブ１３ｃとともにピストンロッド１１が上動し、液体保持部１７ａ内に液体が吸引される。
【００２７】
一方、液体保持部１７ａ内の液体の吐出は、次のようにして行われる。まず、プッシュロッド１５の操作部１５ｃを下動させて、シリンダ１２および爪１２ｄを下動させる。そうすると、図２に良く表れているように爪１２ｄは、スライド片１８上で待機しているから、プッシュロッド１５の下動に伴って爪１２ｄがスライド片１８上を下動する。そして、爪１２ｄをさらに下動させれば、爪１２ｄがスライド片１８から落ち、ラチェット溝１３ａに係止される。そして、プッシュロッド１５のさらなる下動に伴い、ピストンロッド１１が爪１２ｄとともに下動する。なお、プッシュロッド１５のストロークは、これを移動下端まで押し下げるとき、爪１２ｄが図２に実線で示すように１つのラチェット溝１３ａに係止されてからラチェット溝１３ａのピッチまたはその整数倍に相当する距離さらに下動するように設定される。これにより、液体保持部１７ａ内の液体が下方に押され、ピストンロッド１１の移動量に応じた一定量だけノズル１７ｂの先端部から液体が吐出される。
【００２８】
このようにして液体が吐出された後、操作部１５ｃに作用する力を開放すれば、コイルバネ１６による付勢力によりシリンダ１２およびプッシュロッド１５が上動し、これにともない爪１２ｄも上動する。このとき、爪１２ｄは、ラチェット溝１３ａに係止されることなく上動し、再びスライド片１８を上動してもとの部位で待機することとなる。
【００２９】
以上のようにして、操作部１５ｃに力を作用させてピストンロッド１１などを下動させ、またその力を開放するという作業を繰り返すことにより、ピストンロッド１１の移動距離に応じて一定量ずつ繰り返し液体保持部１７ａ内の液体を吐出させることができる。また、非使用状態では、液体保持部１７ａ内の液体の蒸発・濃縮を回避すべく、キャップ１９を取り付けた状態とされる。
【００３０】
一方、第２のピペット２は、ハウジング２０内に、ピストンロッド２１および中間ロッド２２が収容された構成とされている。
【００３１】
ハウジング２０は、ハウジング本体部２０Ａの下端にノズル部２０Ｂが連続して形成された構成となっている。ハウジング２０の内部空間は、ノズル部２０Ｂの先端開口（吐出口）２０ａを介して外部に通じている。ハウジング本体部２０Ａ内には、下方部位および中間部において中心に向けて突出する係止部２０ｂ，２０ｃがそれぞれ形成されている。
【００３２】
ピストンロッド２１は、ロッド部２１ａの上端に栓部２１ｂが一体化された構成とされており、栓部２１ｂがハウジング本体部２０Ａ内に収容され、ロッド部２１ａがハウジング本体部２０Ａ内およびノズル部２０Ｂ内に跨がって収容されている。そして、栓部２１ｂとハウジング本体部２０Ａの係止部２０ｂとの間には、ロッド部２１ａの先端部を外套するようにしてコイルバネ２４が収容されている。これにより、ピストンロッド２１が上方側に付勢されている。
【００３３】
中間ロッド２２は、ロッド部２２ａの下端に栓部２２ｂが一体化された構成とされ、この栓部２２ｂがピストンロッド２１の栓部２１ｂと密着している。したがって、中間ロッド２２もまた、上方側に付勢されている。
【００３４】
ハウジング２０の上面には、開口２０ａが形成されており、この開口２０ａには、プッシュロッド２３のロッド部２３ａが挿通され、栓部２３ｂがシリン中間ロッド２２の上端と密着してハウジング２０内に収容されている。ロッド部２３ａの上端部には操作部２３ｃが取り付けられている。そして、栓部２３ｂの下面とハウジング本体部２０Ａの係止部２０ｃとの間には、中間ロッド２２の上端部側を外套するようにしてコイルバネ２５が配置されている。これにより、プッシュロッド２３が上方側に付勢されている。
【００３５】
以上の構成とされた第２のピペット２では、液体の吸引・吐出が次のようにして行われる。液体の吸引は、まずノズル部２０Ｂの先端部にチップ２６を装着した後に、プッシュロッド２３の操作部２３ｃに力を作用させてプッシュロッド２３、ピストンロッド２１および中間ロッド２２を下動させた状態とする。次いで、チップ２６を液内に差し込み、プッシュロッド２３に作用する力を開放する。そうすれば、各コイルバネ２４，２５によって付勢されたピストンロッド２１，中間ロッド２２およびプッシュロッド２３のそれぞれが上動し、チップ２６内に液体が吸引される。一方、液体の吐出は、プッシュロッド２３を下動させて、チップ２６内の液体を押し出すことにより行われる。そして、プッシュロッド２３に作用する力の開放すれば、各コイルバネ２４，２５の付勢力により、もとの状態に戻され、再び液体の吸引が可能な状態とされる。
【００３６】
次に、上記二連ピペットＸの用途の一例を図３および図４を参照して説明する。なお、図３は電位差測定用プレートの分解斜視図、図４は上記多連ピペットを用いて電位差測定用プレートに参照液および試料液を点着している状態を表す要部拡大斜視図である。
【００３７】
上記二連ピペットＸは、たとえば濃度が既知の参照液と、濃度が未知の試料液との間に生じる電位差により、分析装置を用いてポテンシオメトリックに試料液の濃度を測定する場合において、試料液および参照液を供給するために使用される。より具体的には、図４に示したような電位差測定用プレート４に対して、参照液および試料液を同時に供給するために使用する。
【００３８】
上記電位差測定用プレート４は、図３に良く表れているように絶縁性を有するとともに長矩形状とされたベースフイルム層４０上に、レジスト層４１およびカバーフイルム層４２を積層形成した形態とされ、３種のイオン、たとえばＮａ+ 、Ｋ+ 、Ｃｌ- の電位差を測定可能なように構成されている。
【００３９】
ベースフイルム層４０上には、両端部のそれぞれに幅方向に並んで電位差測定用のプローブが接触する端子４０ａ，４０ｂが３個ずつ形成されている。これらの端子４０ａ，４０ｂは、参照液または試料液の特定成分が供給される受液パッド４０ｃ，４０ｄ，４０ｅにそれぞれ導体配線４０ｆ，４０ｇ，４０ｈを介して導通している。
【００４０】
レジストフイルム層４１は、上下２層４１Ａ，４１Ｂからなる。下層４１Ｂには、ベースフイルム層４０の各端子４０ａ，４０ｂに対応してプローブ用の挿入孔４１ａ，４１ｂが両端部のそれぞれに３個ずつ形成され、各受液パッド４０ｃ，４０ｄ，４０ｅに対応して連絡孔４１ｃ，４１ｄ，４１ｅが形成されている。各連絡孔４１ｃ，４１ｄ，４１ｅには、Ｎａ+ 、Ｋ+ またはＣｌ- を選択的に透過させるイオン選択膜４１ｆ，４１ｇ，４１ｈが嵌め込まれている。上層４１Ａには、下層４１Ｂの各挿入孔４１ａ，４１ｂおよび各端子４０ａ，４０ｂに対応してプローブ用の挿入孔４１ｉ，４１ｊが形成されている。また、中央部には、試料液または参照液を保持するための液保持孔４１ｋ，４１ｌが形成されている。これらの孔４１ｋ，４１ｌは切欠４１ｍを介して繋がっており、この切欠４１ｍにはイオンの移動を許容するブリッジ４１ｎが配置されている。
【００４１】
カバーフイルム層４２には、レジストフイルム層４１の各挿入孔４１ａ，４１ｂ，４１ｉ，４１ｊに連通し、ベースフイルム層４０の各端子４０ａ，４０ｂを臨ませる挿入孔４２ａ，４２ｂが両端縁のそれぞれに３個ずつ形成されている。長手方向の中央部の側端部には、レジストフイルム層４１の液保持孔４１ｋ，４１ｌに連通し、当該プレート４に参照液および試料液を供給するための受液口４２ｃ，４２ｄが２個形成され、さらに空気抜き穴４２ｅが２個形成されている。
【００４２】
以上のような構成とされた電位差測定用プレート４では、図３および図４に示したようにカバーフイルム層４１の受液口４２ｃ，４２ｄから、二連ピペットＸを介して参照液Ｒおよび試料液Ｓが点着される。二連ピペットＸによる液滴の吐出機構については、先に説明した通りである。すなわち、バイアルや試験管などに保持された試料液Ｓから、第２のピペット２により所定量、たとえば２０μｍの試料液Ｓを吸引・採取する。なお、第１のピペット１には、予め液体保持部１７ａに参照液Ｒを収容しておく。そして、第１のピペット１のノズル１７ｂの先端部および第２のピペット２に装着されたチップ２６の先端部をそれそれプレート４の受液口４２ｃ，４２ｄに対応させて状態で、各ピペット１，２のプッシュロッド１５，２３の操作部１５ｃ，２３ｃを下動させて液滴を吐出させ、試料液Ｒおよび参照液Ｓを点着する。
【００４３】
こうして点着された試料液Ｓは液保持孔４１ｋに保持される一方、試料液Ｓは液体保持孔４１ｌに保持されてブリッジ４１ｎを介してこれらの液が短絡される。そして、試料液Ｒのうち、イオン選択膜４１ｆにより、たとえばＮａ+ が選択的に透過して受液パッド４０ｃに達し、イオン選択膜４１ｇにより、たとえばＫ+ が選択的に透過して受液パッド４０ｄに達し、イオン選択膜４１ｈにより、たとえばＣｌ- が選択的に透過して受液パッド４０ｅに達する。同様に、参照液Ｒのうち、たとえばＮａ+ 、Ｋ+ およびＣｌ- が各イオン選択膜４１ｆ，４１ｇ，４１ｈを介して各受液パッド４０ｃ，４１ｄ，４１ｅに達する。
【００４４】
そして、図４に良く表れているように、挿入孔４１ａ，４１ｉ，４２ａ，４１ｂ，４１ｊ，４２ｂを介してプローブＰ1 〜Ｐ6 を各端子４０ａ，４０ｂに接触させて、プローブＰ1 ，Ｐ2 の間に生じた試料液Ｒと参照液ＳとのＮａ+ の濃度差に起因した電位差を測定し、プローブＰ3 ，Ｐ4 の間に生じた試料液Ｒと参照液ＳとのＫ+ の濃度差に起因した電位差を測定し、プローブＰ5 ，Ｐ6 の間に生じた試料液Ｒと参照液ＳとのＣｌ- の濃度差に起因した電位差をそれぞれ測定する。この測定電位からは、たとえば予め作成しておいた検量線に基づいて各イオンの濃度を決定することができる。
【００４５】
このような試料液Ｓ中の特定成分（たとえばＮａ+ 、Ｋ+ 、Ｃｌ- ）の濃度の測定は、異なる試料液Ｓに対して連続して行われることもある。この場合であっても、上記二連ピペットＸは、液体保持部１７ａ内の参照液Ｒを所定量ずつを複数回に分けて吐出させることができるため、プレート４に参照液Ｒを点着すべく、その都度参照液Ｒを吸引する必要はなく、もちろん第１のピペット１においてはチップの装着、取り外しといった作業も不要である。
【００４６】
本実施形態においては、参照液Ｒを外部から吸引して液体保持部１７ａに保持し、これを所定量ずつ吐出するように構成されていたが、液体保持部１７ａ内に参照液が保持された液体保持部１７ａを取り変えることにより、第１のピペット１内に参照液Ｒが保持された状態を維持してもよい。
【図面の簡単な説明】
【図１】本願発明に係る多連ピペットの一例を表す縦断面図である。
【図２】図１の多連ピペットを構成する第１のピペットの要部拡大図である。
【図３】電位差測定用プレートの分解斜視図である。
【図４】図１の多連ピペットを用いて電位差測定用プレートに参照液および試料液を点着している状態を表す要部拡大斜視図である。
【符号の説明】
Ｘ  二連ピペット
１  第１のピペット
１７  シリンジ（第１のピペットの）
１７ａ  液体保持部（シリンジの）
１７ｂ  ノズル（シリンジの）
１８  キャップ（第１のピペットの）
２  第２のピペット
Ｒ  参照液
Ｓ  試料液
【図１】
0004576502.tif 000002
【図２】
0004576502.tif 000003
【図３】
0004576502.tif 000004
【図４】
0004576502.tif 000005